(57)【要約】【課題】用紙のフォーマットを電子機器に認識させることができる記録媒体を提供する。【解決手段】紙媒体１００は、一対の表紙１１０Ｌ，１１０Ｒと複数枚の用紙１２０とが綴じられた冊子状である。表紙１１０Ｒには、タグ部１３０が設けられる。タグ部１３０の一部は、ノート種類を光学的に読み取り可能な識別マーク１４０が設けられた突出部１３３である。タグ部１３０が折り返されると、突出部１３３に設けられた識別マーク１４０が表紙１１０Ｒの輪郭よりも外側に配置される。読取装置は表紙１１０Ｒの輪郭よりも外側に配置された識別マーク１４０から、ノート種類を読み取ることができる。【選択図】図７
2014099121.tif 000002
【特許請求の範囲】
【請求項１】
一対の表紙と、前記一対の表紙の間に重ね合わせて配置した複数枚の用紙とが、各々の縁部の一部で綴じられた冊子状の記録媒体であって、
前記一対の表紙の少なくとも一方に設けられ、前記表紙に形成された切り込みの両端部を結ぶ線に沿って折り返し可能なタグ部と、
前記タグ部の一部であって、前記タグ部が折り返された状態で前記表紙の輪郭よりも外側に突出する突出部と、
前記突出部に設けられ、少なくとも前記用紙のフォーマットを含むノート種類を光学的に読み取り可能な画像である識別マークと
を備えたことを特徴とする記録媒体。
【請求項２】
前記タグ部が設けられた前記表紙と、前記用紙との間に綴じられる内表紙を備え、
前記内表紙は、前記内表紙に重なり合う前記用紙の紙面略全体と対向可能な形状および大きさを有することを特徴とする請求項１に記載の記録媒体。
【請求項３】
前記識別マークは、前記タグ部が設けられた前記表紙の両面のうち、前記タグ部が折り返されていない状態で前記用紙と対向する前記表紙の内面に設けられたことを特徴とする請求項１または２に記載の記録媒体。
【請求項４】
前記一対の表紙の少なくとも一方に設けられ、両面に接着性を有するシート状の接着部を備え、
前記接着部の一面は、前記用紙とは反対側を向く前記表紙の外面に接着され、
前記接着部の他面には、前記接着部を被覆するシート状の剥離部が接着されたことを特徴とする請求項１から３のいずれかに記載の記録媒体。
【請求項５】
前記一対の表紙と前記複数枚の用紙とを各々の縁部の一部で綴じる綴じ部を備え、
前記接着部は、前記表紙の外面において、前記綴じ部の近傍に設けられたことを特徴とする請求項４に記載の記録媒体。
【発明の詳細な説明】
【技術分野】
【０００１】
本発明は、複数枚の用紙が綴じられた冊子状の記録媒体に関する。
【背景技術】
【０００２】
従来、複数枚の用紙が綴じられた冊子状の紙媒体に記入された情報を、電子化して保管および管理する技術が知られている（例えば、特許文献１参照）。特許文献１に開示の情報管理システムでは、人間が手帳をデジタイザのパッドの上に載せて、専用ペンで手書きのコンテンツを記載する。手書きのコンテンツは、デジタイザによって画像データとして読み込まれる。読み込まれた画像データの余白を省いた保管データが、ＰＣのメモリに記憶される。記憶された顧客毎の保管データがディスプレイに並べて表示されることによって、顧客の薬歴を見やすい状態で簡単に表示できる。
【先行技術文献】
【特許文献】
【０００３】
【特許文献１】特開２００２−１３２９４３号公報
【発明の概要】
【発明が解決しようとする課題】
【０００４】
特許文献１に開示の情報管理システムでは、人間が手帳に専用ペンで入力した部分のみが、保管データとしてＰＣに記憶される。しかしながら、この情報管理システムでは、手帳のフォーマット（例えば、罫線の線種および幅など）を認識できない。そのため、手帳のフォーマットが反映された保管データを、ＰＣに記憶させることができなかった。
【０００５】
本発明の目的は、用紙のフォーマットを電子機器に認識させることができる記録媒体を提供することである。
【課題を解決するための手段】
【０００６】
本発明の一態様に係る記録媒体は、一対の表紙と、前記一対の表紙の間に重ね合わせて配置した複数枚の用紙とが、各々の縁部の一部で綴じられた冊子状の記録媒体であって、前記一対の表紙の少なくとも一方に設けられ、前記表紙に形成された切り込みの両端部を結ぶ線に沿って折り返し可能なタグ部と、前記タグ部の一部であって、前記タグ部が折り返された状態で前記表紙の輪郭よりも外側に突出する突出部と、前記突出部に設けられ、少なくとも前記用紙のフォーマットを含むノート種類を光学的に読み取り可能な画像である識別マークとを備える。
【０００７】
上記記録媒体は、一対の表紙と複数枚の用紙とが綴じられた冊子状である。一対の表紙の少なくとも一方には、タグ部が設けられる。タグ部の一部は、ノート種類を光学的に読み取り可能な識別マークが設けられた突出部である。これによれば、タグ部が折り返されると、突出部に設けられた識別マークが表紙の輪郭よりも外側に配置される。電子機器は表紙の輪郭よりも外側に配置された識別マークから、ノート種類を読み取ることができる。つまり記録媒体は、電子機器に用紙のフォーマットを認識させることができる。
【０００８】
前記タグ部が設けられた前記表紙と、前記用紙との間に綴じられる内表紙を備え、前記内表紙は、前記内表紙に重なり合う前記用紙の紙面略全体と対向可能な形状および大きさを有してもよい。この場合、タグ部が設けられた表紙と用紙との間に内表紙が介在するたため、タグ部は用紙と直接的に接触しない。内表紙は情報が記入される用紙の下敷きとなるため、ユーザは用紙に情報を記入しやすい。
【０００９】
前記識別マークは、前記タグ部が設けられた前記表紙の両面のうち、前記タグ部が折り返されていない状態で前記用紙と対向する前記表紙の内面に設けられてもよい。この場合、タグ部が折り返されていない状態で記録媒体が閉じられると、識別マークは用紙に対向して被覆されるため、識別マークを外部から保護できる。タグ部が折り返えされると、識別マークは用紙とは反対側を向く。したがって、電子機器に表紙の外面側から識別マークを読み取らせることが可能となる。
【００１０】
前記一対の表紙の少なくとも一方に設けられ、両面に接着性を有するシート状の接着部を備え、前記接着部の一面は、前記用紙とは反対側を向く前記表紙の外面に接着され、前記接着部の他面には、前記接着部を被覆するシート状の剥離部が接着されてもよい。この場合、表紙の外面に設けた接着部から剥離部を剥離することで、記録媒体を設置部に接着固定できる。その結果、ユーザは記録媒体の用紙に対して、情報を正確に記入できる。
【００１１】
前記一対の表紙と前記複数枚の用紙とを各々の縁部の一部で綴じる綴じ部を備え、前記接着部は、前記表紙の外面において、前記綴じ部の近傍に設けられてもよい。この場合、表紙および用紙の綴じ部の近傍に接着部が設けられているため、例えば記録媒体を壁に貼り付けて保管することが容易となる。
【図面の簡単な説明】
【００１２】
【図１】手書入力システム１の全体構成図である。
【図２】開いた状態の読取装置２の斜め前方からみた斜視図である。
【図３】読取装置２の正面図である。
【図４】樹脂カバー７Ｌ，７Ｒの部品展開図である。
【図５】読取装置２の電気的構成を示すブロック図である。
【図６】媒体保持シート５Ｌ，５Ｒの斜め前方からみた斜視図である。
【図７】見開きした紙媒体１００を前側上方からみた斜視図である。
【図８】見開きした紙媒体１００を後側上方からみた斜視図である。
【図９】紙媒体１００、媒体保持シート５Ｌ，５Ｒ、および読取装置２の斜め前方からみた斜視図である。
【図１０】図３のＩ−Ｉ線矢視方向断面図である。
【図１１】図１０に示す読取装置２が閉じられた状態を示す断面図である。
【図１２】フォーマット設定処理のフローチャートである。
【図１３】第一変形例の紙媒体１００および読取装置２の斜め前方からみた斜視図である。
【図１４】第一変形例における、紙媒体１００が取り付けられた読取装置２の部分拡大斜視図である。
【図１５】第一変形例における、見開きした紙媒体１００を後側上方からみた斜視図である。
【図１６】第二変形例における、見開きした紙媒体１００を後側上方からみた斜視図である。
【発明を実施するための形態】
【００１３】
以下、本発明の実施形態について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００１４】
＜１．手書入力システム１の概要＞
図１〜図３を参照して、本実施形態に係る手書入力システム１の概要を説明する。以下の説明では、図１の上側、下側、左側、右側を、手書入力システム１の前側、後側、左側、右側と定義する。図２の上側、下側、左上側、右下側、右上側、左下側を、それぞれ、読取装置２、媒体保持シート５Ｌ，５Ｒ、および紙媒体１００の前側、後側、左側、右側、上側、下側と定義する。図３の上側、下側、左側、右側、手前側、奥側を、それぞれ、読取装置２、媒体保持シート５Ｌ，５Ｒ、および紙媒体１００の上側、下側、左側、右側、前側、後側と定義する。図１に示す読取装置２は、読取装置２が開閉される途中の状態を示す。図２および図３に示す読取装置２は、読取装置２が開かれた状態を示す。
【００１５】
図１に示すように、手書入力システム１は、読取装置２、電子ペン３、一対の媒体保持シート５Ｌ，５Ｒ、紙媒体１００などを含む。読取装置２は、左右方向に折り畳み（つまり、二つ折り）が可能で、且つ、ユーザが携行可能なタブレット型の手書き入力装置である。電子ペン３は、紙媒体１００にインクで情報（文字、記号、図形、数字等）を記入でき、且つ、記入される情報を読取装置２に入力可能な筆記具である。一対の媒体保持シート５Ｌ，５Ｒは、紙媒体１００を読取装置２に取り付けるための板状部材である。紙媒体１００は、電子ペン３によって情報が記入される冊子状の記録媒体である。
【００１６】
図２および図３に示すように、手書入力システム１では、紙媒体１００が媒体保持シート５Ｌ，５Ｒを介して、読取装置２の前面に固定される。ユーザが電子ペン３を用いて、読取装置２に固定された紙媒体１００に情報を記入する。読取装置２は、紙媒体１００に情報を記入する電子ペン３の軌跡を検出して、後述のストロークデータを取得する。本実施形態の読取装置２は、近傍に位置するＰＣ９と無線通信が可能である。読取装置２で取得されたストロークデータは、例えばユーザが入力した転送指示に応じて、ＰＣ９に転送される。ＰＣ９は、読取装置２から転送されたストロークデータに基づいて、紙媒体１００に記入された情報を電子化した画像ファイルを生成および表示可能である。
【００１７】
＜２．読取装置２の構造＞
図１〜図５を参照して、読取装置２の構造を説明する。図１に示すように、読取装置２では、可撓性の外装カバー４の内部に、一対の樹脂カバー７Ｌ，７Ｒが左右に並んで収容されている。以下では、理解を容易にするために、図２および図３に示すように読取装置２が折り曲げられていない状態（つまり、後述の外装カバー４の左側部分４Ｌと右側部分４Ｒとが左右方向に平行に並ぶ状態）を基準として、各構成の位置関係を説明する。
【００１８】
＜２−１．外装カバー４の詳細構造＞
外装カバー４の詳細構造を説明する。図１に示すように、外装カバー４は、上辺以外の三辺がシールされた、折り曲げられていない状態で左右方向に長い矩形状の袋体である。外装カバー４は、上方に開口する収容口４０を有する。収容口４０は、外装カバー４が折り曲げられていない状態で左右方向に延びる、前後方向の開口幅が小さいスリット状の開口部である。外装カバー４は、例えば合成皮革またはナイロン素材によって作製されているため、外力に応じて変形可能な柔軟性を有する。
【００１９】
一対の樹脂カバー７Ｌ，７Ｒは、正面視で上下方向に長い矩形状であり、且つ前後方向の厚みが小さい箱状体である。樹脂カバー７Ｌの内部には、後述のセンサ基板１０Ｌおよびセンサ制御基板１１（図５参照）が収容される。樹脂カバー７Ｒの内部には、後述のセンサ基板１０Ｒ、センサ制御基板１２、およびメイン基板２０（図５参照）が収容される。
【００２０】
樹脂カバー７Ｌ，７Ｒは、収容口４０を介して外装カバー４の内部に、互いに離間して収容される。このとき、樹脂カバー７Ｌは、外装カバー４の左側部分４Ｌに配置される。樹脂カバー７Ｒは、外装カバー４の右側部分４Ｒに配置される。樹脂カバー７Ｌと樹脂カバー７Ｒとの間に形成される隙間は、外装カバー４の左右方向の中央部分４Ｍに位置する。したがって、外装カバー４では、中央部分４Ｍを中心にして、右側部分４Ｒおよび左側部分４Ｌを開閉可能である。
【００２１】
言い換えると、樹脂カバー７Ｌ，７Ｒの可動範囲は、次のように定義できる。樹脂カバー７Ｌ，７Ｒは、各々の対向する辺同士（つまり、樹脂カバー７Ｌの右辺および樹脂カバー７Ｒの左辺）が平行に延びるように、外装カバー４内に並んで配置される。樹脂カバー７Ｌ，７Ｒの間には、各々の対向する辺同士の間を延びる軸線Ｏ（具体的には、樹脂カバー７Ｌ，７Ｒの間を上下方向に延びる線）に沿って隙間が生じている。そのため、樹脂カバー７Ｌ，７Ｒは、軸線Ｏを中心に回転可能であり、且つ、軸線Ｏを挟んで互いに近接および離間する方向に移動可能である。このような樹脂カバー７Ｌ，７Ｒの可動範囲は、後述のセンサ基板１０Ｌ，１０Ｒの可動範囲と同義である。
【００２２】
左側部分４Ｌの前面４１Ｌと右側部分４Ｒの前面４１Ｒとは、外装カバー４が閉じられると左右方向に対向する。前面４１Ｌの左上部分および左下部分には、それぞれ、左右方向に長い貫通穴であるガイド穴４２Ｌ，４３Ｌが設けられている。つまり、ガイド穴４２Ｌ，４３Ｌは、前面４１Ｌにおいて閉鎖側端部（中央部分４Ｍ）から最も離間した開放側端部の上下両側に設けられている。前面４１Ｒの右上部分および右下部分には、左右方向に長い貫通穴であるガイド穴４２Ｒ，４３Ｒが設けられている。つまり、ガイド穴４２Ｒ，４３Ｒは、前面４１Ｒにおいて閉鎖側端部（中央部分４Ｍ）から最も離間した開放側端部の上下両側に設けられている。前面４１Ｒにおけるガイド穴４２Ｒの下側には、上下方向に長い矩形状の切り欠きであるセンサ窓４４が設けられている。
【００２３】
右側部分４Ｒの後面には、開閉カバー４６が設けられている。開閉カバー４６は、図示外の面ファスナーを介して、右側部分４Ｒの後面に着脱可能である。開閉カバー４６は右側部分４Ｒの後面に接着されると、少なくともバッテリー着脱口４８（図１０参照）を覆う。バッテリー着脱口４８は、後述のバッテリー装着部８２（図１０参照）を外装カバー４の外部に露出させるための開口である。開閉カバー４６が右側部分４Ｒの後面から剥がされると、バッテリー着脱口４８が外部に露出する。
【００２４】
＜２−２．樹脂カバー７Ｌ，７Ｒの詳細構造＞
樹脂カバー７Ｌ，７Ｒの詳細構造を説明する。図４に示すように、樹脂カバー７Ｌは、前カバー７０Ｌおよび後カバー８０Ｌを備える。前カバー７０Ｌおよび後カバー８０Ｌは、上下方向に長い略矩形状の樹脂板である。後カバー８０Ｌの前面には、センサ基板１０Ｌなどの電子部品が配置される基板配置部８１Ｌが設けられている。基板配置部８１Ｌにセンサ基板１０Ｌなどの電子部品が配置された状態で、前カバー７０Ｌが後カバー８０Ｌに組み付けられる。
【００２５】
前カバー７０Ｌの前面には、二つの取付部７１Ｌ，７２Ｌが設けられている。取付部７１Ｌ，７２Ｌは、それぞれ、前カバー７０Ｌの左上隅部および左下隅部に設けられる。取付部７１Ｌ，７２Ｌは、媒体保持シート５Ｌを連結固定するための部材であり、本実施形態ではセンサ基板１０Ｌに対向する後述の表紙１１０Ｌ（図１参照）に向けて突出する鉤状体である。取付部７１Ｌ，７２Ｌは、表紙１１０Ｌの紙面略全体がセンサ基板１０Ｌと対向するように、表紙１１０Ｌを位置決めするが、詳細は後述する。
【００２６】
樹脂カバー７Ｒは、前カバー７０Ｒおよび後カバー８０Ｒを備える。前カバー７０Ｒおよび後カバー８０Ｒは、上下方向に長い略矩形状の樹脂板である。後カバー８０Ｒの前面には、センサ基板１０Ｒなどの電子部品が配置される基板配置部８１Ｒが設けられている。基板配置部８１Ｒにセンサ基板１０Ｒなどの電子部品が配置された状態で、前カバー７０Ｒが後カバー８０Ｒに組み付けられる。
【００２７】
前カバー７０Ｒの前面には、二つの取付部７１Ｒ，７２Ｒが設けられている。取付部７１Ｒ，７２Ｒは、それぞれ、前カバー７０Ｒの右上隅部および右下隅部に設けられる。取付部７１Ｒ，７２Ｒは、媒体保持シート５Ｒを連結固定するための部材であり、本実施形態ではセンサ基板１０Ｒに対向する後述の表紙１１０Ｒ（図１参照）に向けて突出する鉤状体である。取付部７１Ｒ，７２Ｒは、表紙１１０Ｒの紙面略全体がセンサ基板１０Ｒと対向するように、表紙１１０Ｒを位置決めするが、詳細は後述する。
【００２８】
さらに、前カバー７０Ｒには、読取窓７３およびスイッチ収容部７４が設けられている。読取窓７３は、取付部７１Ｒの下側に設けられ、後述のセンサ部２４の前方を覆う。読取窓７３は、上下方向に長い矩形状であり、センサ部２４から発せられた光が透過可能な透明板である。スイッチ収容部７４は、前カバー７０Ｒの右上部分に設けられ、メイン基板２０の各種スイッチ部品を収容する。後カバー８０Ｒの中央部には、バッテリー装着部８２が設けられている。ユーザはバッテリー装着部８２に対して、読取装置２に電源を供給するバッテリー１９（図５参照）を着脱できる。
【００２９】
＜２−３．読取装置２の電気的構造＞
読取装置２の電気的構造を、各種電子部品の配置と併せて説明する。図４および図５に示すように、読取装置２は、センサ基板１０Ｌ，１０Ｒ、センサ制御基板１１，１２、およびメイン基板２０を備える。センサ基板１０Ｌ，１０Ｒは、Ｘ軸方向（具体的には、左右方向）およびＹ軸方向（具体的には、上下方向）の各々に細長いループコイルが多数配列された基板であって、近接する電子ペン３の位置を検出可能である。センサ基板１０Ｌ，１０Ｒは、それぞれ、樹脂カバー７Ｌ，７Ｒのほぼ全面に亘る大きさを有する、上下方向に長い矩形状である。本実施形態のセンサ基板１０Ｌ，１０Ｒは、それぞれ、Ａ５サイズの表紙１１０Ｌ，１１０Ｒの紙面略全体に対向可能な大きさを有する。
【００３０】
メイン基板２０は、ＣＰＵ２１、フラッシュＲＯＭ２２、無線通信部２３、センサ部２４などを備えている。フラッシュＲＯＭ２２および無線通信部２３は、ＣＰＵ２１に電気的に接続されている。ＣＰＵ２１は、読取装置２の制御を行う。フラッシュＲＯＭ２２には、ＣＰＵ２１が読取装置２を制御するために実行する各種プログラムが記憶されている。さらに、紙媒体１００に情報を記入する電子ペン３の軌跡を示すストロークデータが、フラッシュＲＯＭ２２に記憶される。ストロークデータは、センサ基板１０Ｌ，１０Ｒによって経時的に検出された電子ペン３の複数の位置情報（例えば、座標情報）によって、紙媒体１００に情報を記入する電子ペン３の軌跡を特定する。
【００３１】
無線通信部２３は、外部の電子機器（例えば、図２に示すＰＣ９）と近距離無線通信を実行するためのコントローラである。センサ部２４は、取付部７１Ｒ，７２Ｒによって表紙１１０Ｒが位置決めされた状態で、表紙１１０Ｒに設けられた画像パターンから光学的に情報を読み取り可能である。本実施形態のセンサ部２４は、表紙１１０Ｒのタグ部１３０に設けられた後述の識別マーク１４０（図７参照）を読み取り可能な複数の光センサである。図４に示す例では、センサ部２４は上下方向に並ぶ六つの光センサで構成されている。
【００３２】
メイン基板２０は、センサ基板１０Ｌ，１０Ｒよりも面積が小さく、且つ左右方向に長い矩形状である。メイン基板２０の上端部分には、図示外の電源スイッチ、発光素子、無線通信部２３などの各種スイッチ部品が設けられている。さらに、メイン基板２０の右端部分には、センサ部２４が設けられている。メイン基板２０は、基板配置部８１Ｒの上側部分に配置される。センサ基板１０Ｒは、基板配置部８１Ｒにおいてメイン基板２０の前面側に配置される。後カバー８０Ｒに前カバー７０Ｒが組み付けられると、メイン基板２０の各種スイッチ部品は先述のスイッチ収容部７４に収容され、センサ部２４は読取窓７３の後方に配置される。
【００３３】
センサ基板１０Ｌの後面側には、ＡＳＩＣ１１Ａを備えたセンサ制御基板１１が設けられている。センサ基板１０Ｌは、センサ制御基板のＡＳＩＣ１１Ａに電気的に接続されている。センサ基板１０Ｒの後面側には、ＡＳＩＣ１２Ａを備えたセンサ制御基板１２が設けられている。センサ基板１０Ｒは、センサ制御基板のＡＳＩＣ１２Ａに電気的に接続されている。ＡＳＩＣ１１ＡとＡＳＩＣ１２Ａとは、フレキシブルケーブル１３によって接続されている。
【００３４】
ＣＰＵ２１はＡＳＩＣ１１Ａを制御して、電子ペン３による記入動作がセンサ基板１０Ｌの近傍で行われた場合に、記入動作に基づいてストロークデータを取得する。ＣＰＵ２１はＡＳＩＣ１２Ａを制御して、電子ペン３による記入動作がセンサ基板１０Ｒの近傍で行われた場合に、記入動作に基づいてストロークデータを取得する。これらのストロークデータが取得される原理は、別途後述する。ＡＳＩＣ１１Ａ，１２Ａのうち、マスター側のＡＳＩＣ１２ＡはＣＰＵ２１に直接接続され、スレーブ側のＡＳＩＣ１１ＡはＡＳＩＣ１２Ａを介してＣＰＵ２１に接続されている。
【００３５】
先述したように、読取装置２にはバッテリー装着部８２が設けられている。バッテリー１９がバッテリー装着部８２に装着されると、バッテリー１９がメイン基板２０に電気的に接続される。これにより、バッテリー１９からメイン基板２０に電源が供給される。
【００３６】
＜３．電子ペン３の構造＞
図２を参照して、電子ペン３の構造を説明する。電子ペン３は、芯体３１、コイル３２、可変容量コンデンサ３３、基板３４、コンデンサ３５、およびインク収納部３６を備える。芯体３１は、電子ペン３の先端部に設けられている。芯体３１は図示外の弾性部材によって、電子ペン３の先端側に付勢されている。芯体３１の先端部は、電子ペン３の外部に突出している。芯体３１の後端側は、インクが収納されているインク収納部３６に接続されている。インク収納部３６は、芯体３１にインクを供給する。
【００３７】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５および可変容量コンデンサ３３はコイル３２に並列に接続され、周知の共振（同調）回路を構成する。ユーザが電子ペン３を用いて紙媒体１００に記入すると、インクによって紙媒体１００に情報が形成され、且つ、記入される情報が公知の電磁誘導式で読取装置２に入力される。
【００３８】
＜４．媒体保持シート５Ｌ，５Ｒの構造＞
図６を参照して、媒体保持シート５Ｌ，５Ｒの構造を説明する。媒体保持シート５Ｌ，５Ｒは、紙媒体１００の用紙サイズ毎に用意されている。本実施形態の媒体保持シート５Ｌ，５Ｒは、Ａ５サイズの紙媒体１００専用である。
【００３９】
媒体保持シート５Ｌは、表紙１１０Ｌを読取装置２の前面４１Ｌに固定するための樹脂板である。本実施形態では、媒体保持シート５Ｌの前面５０Ｌは、Ａ５サイズの表紙１１０Ｌの略全体を貼り付け可能な大きさを有する。媒体保持シート５Ｌでは、表紙１１０Ｌが前面５０Ｌに面接触して固定可能である。
【００４０】
媒体保持シート５Ｌには、略Ｌの字型の板状体である位置決め部５１Ｌ，５２Ｌと、前後方向に貫通する二つの連結穴５３Ｌ，５４Ｌとが設けられている。連結穴５３Ｌは、媒体保持シート５Ｌの左上隅部に設けられる。連結穴５４Ｌは、媒体保持シート５Ｌの左下隅部に設けられる。連結穴５３Ｌ，５４Ｌは、正面視で略Ｈの字型に切り欠かれており、それぞれ先述の取付部７１Ｌ，７２Ｌが連結固定される。
【００４１】
位置決め部５１Ｌ，５２Ｌは、それぞれ、前面５０Ｌにおける連結穴５３Ｌ，５４Ｌの右側に設けられる。位置決め部５１Ｌは、表紙１１０Ｌの左上隅部を位置決めするための部材である。位置決め部５２Ｌは、表紙１１０Ｌの左下隅部を位置決めするための部材である。本実施形態では、位置決め部５１Ｌ，５２ＬがＡ５サイズの表紙１１０Ｌの左上隅部および左下隅部に対応する位置に設けられている。表紙１１０Ｌは、位置決め部５１Ｌ，５２Ｌよりも右側の領域に位置決めされた状態で、前面５０Ｌに貼り付けられる。
【００４２】
先述の連結穴５３Ｌ，５４Ｌは、位置決め部５１Ｌ，５２Ｌよりも左側の領域に設けられている。つまり、連結穴５３Ｌ，５４Ｌは、前面５０Ｌと直交する方向（本実施形態では前後方向）において、位置決め部５１Ｌ，５２Ｌによって位置決めされた表紙１１０Ｌと重複しない位置に形成されている。したがって、取付部７１Ｌ，７２Ｌが連結穴５３Ｌ，５４Ｌに連結固定された場合、取付部７１Ｌ，７２Ｌは前面５０Ｌに貼り付けられた表紙１１０Ｌと干渉しない。
【００４３】
媒体保持シート５Ｒは、表紙１１０Ｒを読取装置２の前面４１Ｒに固定するための樹脂板である。本実施形態では媒体保持シート５Ｒの前面５０Ｒは、Ａ５サイズの表紙１１０Ｒの略全体を貼り付け可能な大きさを有する。媒体保持シート５Ｒでは、表紙１１０Ｒが前面５０Ｒに面接触して固定可能である。
【００４４】
媒体保持シート５Ｒには、略Ｌの字型の板状体である位置決め部５１Ｒ，５２Ｒと、前後方向に貫通する二つの連結穴５３Ｒ，５４Ｒとが設けられている。連結穴５３Ｒは、媒体保持シート５Ｒの右上隅部に設けられる。連結穴５４Ｒは、媒体保持シート５Ｒの右下隅部に設けられる。連結穴５３Ｒ，５４Ｒは、正面視で略Ｈの字型に切り欠かれており、それぞれ先述の取付部７１Ｒ，７２Ｒが連結固定される。
【００４５】
位置決め部５１Ｒ，５２Ｒは、それぞれ、前面５０Ｒにおける連結穴５３Ｒ，５４Ｒの左側に設けられる。位置決め部５１Ｒは、表紙１１０Ｒの右上隅部を位置決めするための部材である。位置決め部５２Ｒは、表紙１１０Ｒの右下隅部を位置決めするための部材である。本実施形態では、位置決め部５１Ｒ，５２ＲがＡ５サイズの表紙１１０Ｒの右上隅部および右下隅部に対応する位置に設けられている。表紙１１０Ｒは、位置決め部５１Ｒ，５２Ｒよりも左側の領域に位置決めされた状態で、前面５０Ｒに貼り付けられる。
【００４６】
先述の連結穴５３Ｒ，５４Ｒは、位置決め部５１Ｒ，５２Ｒよりも右側の領域に設けられている。つまり、連結穴５３Ｒ，５４Ｒは、前面５０Ｒと直交する方向（本実施形態では前後方向）において、位置決め部５１Ｒ，５２Ｒによって位置決めされた表紙１１０Ｒと重複しない位置に形成されている。したがって、取付部７１Ｒ，７２Ｒが連結穴５３Ｒ，５４Ｒに連結固定された場合、取付部７１Ｒ，７２Ｒは前面５０Ｒに貼り付けられた表紙１１０Ｒと干渉しない。
【００４７】
さらに、媒体保持シート５Ｒには、センサ穴５８およびシール部材５６が設けられている。センサ穴５８は、連結穴５３Ｒの下側に設けられた、上下方向に並ぶ六つの正方形状の貫通穴を有する。センサ穴５８が有する六つの貫通穴は、それぞれセンサ部２４（図４参照）が有する六つの光センサに対応している。
【００４８】
シール部材５６は、前面５０Ｒの一部を覆う非透光性の板状体であり、正面視で少なくともセンサ穴５８を塞ぐ。シール部材５６は、上下方向に長い矩形状であり、且つ、左辺を除く三辺で前面５０Ｒに固定されている。したがって、シール部材５６の左辺部は、前面５０Ｒに対して隙間を形成可能である。なお、本実施形態では部品数低減のため、位置決め部５１Ｒとシール部材５６とが、連結された一部品の板部５７を構成する。
【００４９】
前面５０Ｒのうちでシール部材５６によって被覆される部分が、被覆部５９である。シール部材５６と被覆部５９とで囲まれる袋状の部位が、タグ収容部５５である（図２参照）。タグ収容部５５は、シール部材５６の左辺部から前面５０Ｒに沿って後述のタグ部１３０（図１参照）を挿入可能である。被覆部５９の少なくとも一部は透光性を有するため、媒体保持シート５Ｒの後方からタグ収容部５５内に光照射が可能である。本実施形態では、被覆部５９に形成されているセンサ穴５８を介して、媒体保持シート５Ｒの後方からタグ収容部５５内に光照射が可能である。
【００５０】
＜５．紙媒体１００の構造＞
図７および図８を参照して、紙媒体１００の構造を説明する。図７に示す紙媒体１００は、タグ部１３０が折り返される前の状態である。図８に示す紙媒体１００は、タグ部１３０が折り返された後の状態であり、且つ剥離部１６３Ｌ，１６３Ｒが開かれた後の状態である。
【００５１】
紙媒体１００は、表紙１１０Ｌと表紙１１０Ｒとの間に複数の用紙１２０が綴じられた、左右方向に見開き可能な冊子状である。紙媒体１００は、一対の表紙１１０Ｌ，１１０Ｒと複数の用紙１２０とを、各々の縁部の一部で綴じる綴じ部１０５を備える。より詳細には、綴じ部１０５は紙媒体１００の閉鎖側端部に設けられて、表紙１１０Ｌ，１１０Ｒおよび複数の用紙１２０が各々有する略同一長さの一辺を綴じる。一例として、本実施形態の紙媒体１００はＡ５サイズのノートであり、用紙１２０は例えば複数の罫線が引かれた文書用フォーマットを有する。
【００５２】
図７に示すように、表紙１１０Ｒの開放側近傍には、表紙１１０Ｒを前後方向に貫通する切り込み部１３１が形成されている。切り込み部１３１は、正面視で、表紙１１０Ｒの開放側から閉鎖側に向かって突出する形状を有する。切り込み部１３１の両端部を結ぶように、型押し部１３２が形成されている。本実施形態では、切り込み部１３１は表紙１１０Ｒの右上部分に設けられている。切り込み部１３１は、左右方向に延びる上下一対の横切り込み１３１Ａ，１３１Ｂと、各横切り込み１３１Ａ，１３１Ｂの左端部を結ぶように上下方向に延びる縦切り込み１３１Ｃとから構成される。型押し部１３２は、各横切り込み１３１Ａ，１３１Ｂの右端部の間を上下方向に延びる、溝状に加工された凹部である。
【００５３】
表紙１１０Ｒのうちで切り込み部１３１と型押し部１３２とに囲まれた部分が、タグ部１３０である。タグ部１３０は、型押し部１３２に沿って前後方向に折り返し可能である。図８に示すように、タグ部１３０が型押し部１３２に沿って折り返されると、タグ部１３０の一部が背面視で表紙１１０Ｒの輪郭よりも外側に突出する。この突出する部分を、突出部１３３という。タグ部１３０が折り返された状態では、突出部１３３が表紙１１０Ｒの右上部分から右方向に突出する。突出部１３３は、上下方向に長い矩形状であり、各種情報（例えば、タイトル、索引、巻数など）を記入可能である。
【００５４】
突出部１３３には、ノート種類を示す識別マーク１４０が印刷されている。ノート種類は、紙媒体１００に関する情報であり、本実施形態では用紙１２０のフォーマットを示す。識別マーク１４０は、上下方向にならぶ六つの識別領域１４１〜１４６を有する。六つの識別領域１４１〜１４６は、センサ穴５８（図６参照）が有する六つの貫通穴にそれぞれ対応している。各識別領域１４１〜１４６は、いずれも矩形状であり、未着色（白）または黒で色分けされている。六つの識別領域１４１〜１４６の組合せパターン（つまり、識別マーク１４０のバーパターン）によって、用紙１２０のフォーマットに対応するコード情報が示される。
【００５５】
図７に示すように、表紙１１０Ｌ，１１０Ｒの前面は、紙媒体１００が閉じられた場合に用紙１２０と対向する内面である。識別マーク１４０は、表紙１１０Ｒの前面のうちで、突出部１３３の前面に設けられている。タグ部１３０が折り返されていない状態で紙媒体１００が閉じられると、識別マーク１４０は紙媒体１００の内側に配置される。図８に示すようにタグ部１３０が折り返されると、識別マーク１４０は表紙１１０Ｒの輪郭よりも外側に配置され、且つ用紙１２０とは反対側を向く。つまり、識別マーク１４０が、紙媒体１００の外側に露出されて、表紙１１０Ｒの後方に向けて表示される。
【００５６】
タグ部１３０が設けられた表紙１１０Ｒと、表紙１１０Ｒと隣り合う用紙１２０との間には、内表紙１１５が綴じられている。内表紙１１５は、用紙１２０よりも厚みが大きく、且つ用紙１２０の紙面略全体と対向可能な形状および大きさを有する。本実施形態では、表紙１１０Ｌ，１１０Ｒ、用紙１２０、および内表紙１１５は、いずれも同一サイズの矩形状である。
【００５７】
図８に示すように、表紙１１０Ｌ，１１０Ｒの後面は、紙媒体１００が閉じられた場合に用紙１２０とは反対側を向く外面である。表紙１１０Ｌの後面には、表紙１１０Ｌを外部物品に着脱するための媒体着脱部１６０Ｌが設けられている。表紙１１０Ｒの後面には、表紙１１０Ｒを外部物品に着脱するための媒体着脱部１６０Ｒが設けられている。媒体着脱部１６０Ｌ，１６０Ｒは、綴じ部１０５を挟んで左右対称に設けられる。
【００５８】
媒体着脱部１６０Ｌは、接着部１６１Ｌ、型押し部１６２Ｌ、剥離部１６３Ｌ、切り込み部１６４Ｌを有する。接着部１６１Ｌは、両面に接着性を有するシート（例えば、両面テープ）である。接着部１６１Ｌは、表紙１１０Ｌの後面において綴じ部１０５の近傍に設けられ、綴じ部１０５に沿って上下方向に延びる矩形状である。接着部１６１Ｌの一面は、表紙１１０Ｌの後面に接着されている。接着部１６１Ｌの他面には、シート状の剥離部１６３Ｌが接着されている。剥離部１６３Ｌは、接着部１６１Ｌに対して着脱自在な剥離紙である。
【００５９】
剥離部１６３Ｌは、接着部１６１Ｌに対応する矩形状であり、切り込み部１６４Ｌに沿って接着部１６１Ｌから剥離可能である。切り込み部１６４Ｌは、表紙１１０Ｌの後面に対して溝状に切り込まれた部位である。切り込み部１６４Ｌは、接着部１６１Ｌの開放側辺部（本実施形態では、接着部１６１Ｌの左辺）を除く三辺に沿って形成されている。つまり切り込み部１６４Ｌは、背面視で表紙１１０Ｌの開放側から閉鎖側に向かって突出する形状を有する。切り込み部１６４Ｌの両端部を結ぶように、溝状に加工された凹部である型押し部１６２Ｌが上下方向に形成されている。剥離部１６３Ｌは、型押し部１６２Ｌに沿って折り返し可能である。
【００６０】
剥離部１６３Ｌが折り返されていない状態では、接着部１６１Ｌは剥離部１６３Ｌによって被覆される。剥離部１６３Ｌが折り返された状態では、接着部１６１Ｌは表紙１１０Ｌの後方に露出する。つまり、剥離部１６３Ｌを綴じ部１０５から離間する方向（言い換えると、綴じ部１０５の反対側）に折り返すことで、接着部１６１Ｌは後方から外部物品を着脱可能な状態になる。このように、剥離部１６３Ｌは折り返しによって、接着部１６１Ｌを露出させる位置と、接着部１６１Ｌを被覆する位置とに変位可能である。
【００６１】
同様に、媒体着脱部１６０Ｒは、接着部１６１Ｒ、型押し部１６２Ｒ、剥離部１６３Ｒ、切り込み部１６４Ｒを有する。切り込み部１６４Ｒは、切り込み部１６４Ｌと左右対称に設けられており、接着部１６１Ｒの開放側辺部（本実施形態では、接着部１６１Ｒの右辺）を除く三辺に沿って形成されている。つまり切り込み部１６４Ｒは、背面視で表紙１１０Ｒの開放側から閉鎖側に向かって突出する形状を有する。
【００６２】
剥離部１６３Ｒが折り返されていない状態では、接着部１６１Ｒは剥離部１６３Ｒによって被覆される。剥離部１６３Ｒが折り返された状態では、接着部１６１Ｒは表紙１１０Ｒの後方に露出する。つまり、剥離部１６３Ｒを綴じ部１０５から離間する方向（言い換えると、綴じ部１０５の反対側）に折り返すことで、接着部１６１Ｒは後方から外部物品を着脱可能な状態になる。このように、剥離部１６３Ｒは折り返しによって、接着部１６１Ｒを露出させる位置と、接着部１６１Ｒを被覆する位置とに変位可能である。
【００６３】
＜６．手書入力システム１の使用態様＞
図７〜図１１を参照して、ユーザが手書入力システム１を使用する態様を説明する。図９では、理解を容易にするために、外装カバー４を省略している。図１０では、開放された開閉カバー４６を、二点鎖線で示している。
【００６４】
図７に示すように、まずユーザは情報を記入する紙媒体１００（例えば、未使用の紙媒体１００）を用意する。未使用の紙媒体１００は、タグ部１３０が折り返されていない状態で閉じられている。この状態では、識別マーク１４０は紙媒体１００の内側に配置されるため、識別マーク１４０が外部から保護される。したがって、未使用の紙媒体１００では、識別マーク１４０の損傷または変形が抑制される。
【００６５】
図８に示すように、ユーザは用意した未使用の紙媒体１００を開いてタグ部１３０を押圧し、押圧したタグ部１３０を型押し部１３２に沿って折り返す。これにより突出部１３３が、背面視で表紙１１０Ｒの輪郭よりも外側に突出する。さらにユーザは、切り込み部１６４Ｌに沿って接着部１６１Ｌから剥離部１６３Ｌを引き剥がし、引き剥がした剥離部１６３Ｌを型押し部１６２Ｌに沿って折り返す。同様にユーザは、切り込み部１６４Ｒに沿って接着部１６１Ｒから剥離部１６３Ｒを引き剥がし、引き剥がした剥離部１６３Ｒを型押し部１６２Ｒに沿って折り返す。これにより一対の剥離部１６３Ｌ，１６３Ｒは、互いに異なる方向（具体的には、綴じ部１０５から離間する方向）に開く。接着部１６１Ｌ，１６１Ｒは、紙媒体１００の後方に露出する。
【００６６】
図９に示すように、ユーザは紙媒体１００に媒体保持シート５Ｌ，５Ｒを取り付ける。詳細には、ユーザは媒体保持シート５Ｌの前面５０Ｌ上で、表紙１１０Ｌの開放側上端部（本実施形態では左上隅部）を位置決め部５１Ｌに位置決めし、且つ、表紙１１０Ｌの開放側下端部（本実施形態では左下隅部）を位置決め部５２Ｌに位置決めする。このように表紙１１０Ｌが位置決めされた状態で、ユーザは媒体保持シート５Ｌを接着部１６１Ｌに貼り付ける。これにより、表紙１１０Ｌが媒体保持シート５Ｌに保持される。
【００６７】
同様に、ユーザは媒体保持シート５Ｒの前面５０Ｒ上で、表紙１１０Ｒの開放側上端部（本実施形態では右上隅部）を位置決め部５１Ｒに位置決めし、且つ、表紙１１０Ｒの開放側下端部（本実施形態では右下隅部）を位置決め部５２Ｒに位置決めする。このとき、ユーザはタグ部１３０を前面５０Ｒに沿って右方向に移動させ、突出部１３３をタグ収容部５５内に挿入する。このように表紙１１０Ｒが位置決めされた状態で、ユーザは媒体保持シート５Ｒを接着部１６１Ｒに貼り付ける。これにより、表紙１１０Ｒが媒体保持シート５Ｒに保持される。
【００６８】
先述したように、一対の剥離部１６３Ｌ，１６３Ｒが互いに異なる方向に開くため、開かれた剥離部１６３Ｌ，１６３Ｒが相互に干渉しない。つまり、ユーザが接着部１６１Ｌに媒体保持シート５Ｌを貼り付ける際に、剥離部１６３Ｒが干渉しにくい。ユーザが接着部１６１Ｒに媒体保持シート５Ｒを貼り付ける際に、剥離部１６３Ｌが干渉しにくい。したがって、ユーザは紙媒体１００に媒体保持シート５Ｌ，５Ｒを取り付けやすい。
【００６９】
次にユーザは、媒体保持シート５Ｌ，５Ｒを読取装置２に取り付ける。詳細には、ユーザは媒体保持シート５Ｌ，５Ｒを、それぞれ、読取装置２の前面４１Ｌ，４１Ｒに対向して配置する。ユーザは、前面４１Ｌから前方に突出する取付部７１Ｌ，７２Ｌを、それぞれ連結穴５３Ｌ，５４Ｌに挿入する。これにより、取付部７１Ｌ，７２Ｌがそれぞれ連結穴５３Ｌ，５４Ｌに係止されて、媒体保持シート５Ｌが樹脂カバー７Ｌに連結される。同様に、ユーザは前面４１Ｒから前方に突出する取付部７１Ｒ，７２Ｒを、それぞれ連結穴５３Ｒ，５４Ｒに挿入する。これにより、取付部７１Ｒ，７２Ｒがそれぞれ連結穴５３Ｒ，５４Ｒに係止されて、媒体保持シート５Ｒが樹脂カバー７Ｒに連結される。
【００７０】
以上の手順によって、紙媒体１００が媒体保持シート５Ｌ，５Ｒを介して読取装置２に取り付けられる。図１０に示すように、読取装置２が開かれた状態では、表紙１１０Ｌの紙面略全体がセンサ基板１０Ｌと平行に対向するように、表紙１１０Ｌが前面４１Ｌで位置決めされている。表紙１１０Ｌと重なっている用紙１２０も、紙面略全体がセンサ基板１０Ｌと平行に対向している。この状態では、表紙１１０Ｌと重なっている用紙１２０に情報を記入する電子ペン３を、センサ基板１０Ｌが正確に検出できる。
【００７１】
同様に、表紙１１０Ｒの紙面略全体がセンサ基板１０Ｒと平行に対向するように、表紙１１０Ｒが前面４１Ｒで位置決めされている。表紙１１０Ｒと重なっている用紙１２０も、紙面略全体がセンサ基板１０Ｒと平行に対向している。この状態では、表紙１１０Ｒと重なっている用紙１２０に情報を記入する電子ペン３を、センサ基板１０Ｒが正確に検出できる。
【００７２】
例えば、読取装置２に傾斜または振動が生じると、紙媒体１００を前後左右方向に移動させる外力が付与されることがある。しかしながら、外装カバー４のガイド穴４２Ｌ，４３Ｌによって、取付部７１Ｌ，７２Ｌの前後左右方向の移動範囲が規制されている。同様に、外装カバー４のガイド穴４２Ｒ，４３Ｒによって、取付部７１Ｒ，７２Ｒの前後左右方向の移動範囲が規制されている。そのため、紙媒体１００を前後左右方向に移動させる外力が付与されても、取付部７１Ｌ，７２Ｌが媒体保持シート５Ｌを介して表紙１１０Ｌの移動範囲を規制し、且つ、取付部７１Ｒ，７２Ｒが媒体保持シート５Ｒを介して表紙１１０Ｒの移動範囲を規制する。
【００７３】
つまり、読取装置２に取り付けられた紙媒体１００は、外力によって大幅に移動することが抑制されている。紙媒体１００とセンサ基板１０Ｌ，１０Ｒとの位置関係は変化しにくいため、紙媒体１００がセンサ基板１０Ｌ，１０Ｒと対向した状態が維持される。つまり、用紙１２０に情報を記入する電子ペン３を、センサ基板１０Ｌ，１０Ｒで正確に検出される状態が維持される。
【００７４】
さらに、紙媒体１００の挙動に連動して、取付部７１Ｌ，７２Ｌがガイド穴４２Ｌ，４３Ｌで規制される範囲内で移動することがある。この場合、取付部７１Ｌ，７２Ｌを介して、紙媒体１００と同じ移動方向および移動量で、樹脂カバー７Ｌ（つまり、センサ基板１０Ｌ）が前後左右方向に移動する。同様に、紙媒体１００の挙動に連動して、取付部７１Ｒ，７２Ｒを介して、紙媒体１００と同じ移動方向および移動量で、樹脂カバー７Ｒ（つまり、センサ基板１０Ｒ）が前後左右方向に移動する。したがって、紙媒体１００とセンサ基板１０Ｌ，１０Ｒとの位置関係は変化しにくいため、センサ基板１０Ｌ，１０Ｒで正確に検出される状態が維持される。
【００７５】
図１０に示す読取装置２が開かれた状態では、面一に連続する前面４１Ｌ，４１Ｒに対向して紙媒体１００も開かれた状態となる。このとき、取付部７１Ｌ，７２Ｌは、それぞれガイド穴４２Ｌ，４３Ｌ内で閉鎖側端部（本実施形態では、ガイド穴４２Ｌ，４３Ｌの右端位置）まで移動している。取付部７１Ｒ，７２Ｒは、それぞれガイド穴４２Ｒ，４３Ｒ内で閉鎖側端部（本実施形態では、ガイド穴４２Ｒ，４３Ｒの左端位置）まで移動している。つまり、外装カバー４の内部では、樹脂カバー７Ｌと樹脂カバー７Ｒとの離間距離が最も小さくなる。
【００７６】
一方、読取装置２が閉じられるのに伴って、紙媒体１００も閉じられる。このとき、外装カバー４の内部では、樹脂カバー７Ｌが表紙１１０Ｌの挙動に追従して、軸線Ｏ（図１参照）を中心に前方に回転する。同時に、樹脂カバー７Ｒが表紙１１０Ｒの挙動に追従して、軸線Ｏを中心に前方に回転する。このとき、センサ基板１０Ｌと媒体保持シート５Ｌの平行状態を維持しつつ、取付部７１Ｌ，７２Ｌはそれぞれガイド穴４２Ｌ，４３Ｌ内で開放側（本実施形態では左側）に移動する。同時に、センサ基板１０Ｒと媒体保持シート５Ｒの平行状態を維持しつつ、取付部７１Ｒ，７２Ｒはそれぞれガイド穴４２Ｒ，４３Ｒ内で開放側（本実施形態では右側）に移動する。つまり、樹脂カバー７Ｌ，７Ｒの回転に伴って、樹脂カバー７Ｌと樹脂カバー７Ｒとの離間距離が徐々に大きくなる。
【００７７】
図１１に示すように読取装置２が閉じられた状態では、対向する前面４１Ｌ，４１Ｒの間で、媒体保持シート５Ｌ，５Ｒが取り付けられた紙媒体１００も閉じられる。このとき、取付部７１Ｌ，７２Ｌは、それぞれガイド穴４２Ｌ，４３Ｌ内で開放側端部（本実施形態では、ガイド穴４２Ｌ，４３Ｌの左端位置）まで移動している。取付部７１Ｒ，７２Ｒは、それぞれガイド穴４２Ｒ，４３Ｒ内で開放側端部（本実施形態では、ガイド穴４２Ｒ，４３Ｒの右端位置）まで移動している。つまり、外装カバー４の内部では、樹脂カバー７Ｌと樹脂カバー７Ｒとの離間距離が最も大きくなる。
【００７８】
このように、紙媒体１００の開閉に連動して、センサ基板１０Ｌ，１０Ｒは紙媒体１００と平行に対向した状態を維持したまま、軸線Ｏを中心に前方に回転する。このとき、取付部７１Ｌ，７２Ｌがそれぞれガイド穴４２Ｌ，４３Ｌを移動し、且つ取付部７１Ｒ，７２Ｒがそれぞれガイド穴４２Ｒ，４３Ｒを移動することで、樹脂カバー７Ｌ，７Ｒの離間距離の変化が吸収される。したがって、紙媒体１００とセンサ基板１０Ｌ，１０Ｒとの位置関係は変化しにくいため、センサ基板１０Ｌ，１０Ｒで正確に検出される状態が維持される。
【００７９】
タグ収容部５５内では、識別マーク１４０が表紙１１０Ｒの後方に向けて表示される。したがってセンサ部２４（図４参照）は、表紙１１０Ｒの外側後方からセンサ光を照射することで、識別マーク１４０からノート種類を読み取ることができる。さらに、上記のように表紙１１０Ｒが媒体保持シート５Ｒに正確に位置決めされることにより、タグ収容部５５内に収容される突出部１３３とセンサ部２４との位置関係も変化しにくい。そのため、読取装置２に傾斜または振動が生じたり、読取装置２が開閉されたりしても、センサ部２４で突出部１３３から識別マーク１４０を正確に読み取れる状態が維持される。
【００８０】
紙媒体１００が媒体保持シート５Ｌ，５Ｒを介して読取装置２に取り付けられたのち、ユーザは電子ペン３を用いて用紙１２０に情報を記入する。紙媒体１００は、一対の接着部１６１Ｌ，１６１Ｒによって、読取装置２に連結固定されている媒体保持シート５Ｌ，５Ｒに接着固定されている。ユーザが用紙１２０に情報を記入しているときに、紙媒体１００の位置ずれが生じにくい。さらに、一対の接着部１６１Ｌ，１６１Ｒは、表紙１１０Ｌ，１１０Ｒで対称をなすように設けられている。これにより、紙媒体１００は、媒体保持シート５Ｌ，５Ｒを介して読取装置２に対して安定的に接着固定される。ユーザは紙媒体１００の用紙１２０に対して情報を正確に記入できる。
【００８１】
表紙１１０Ｒと用紙１２０との間に内表紙１１５が介在するため、タグ部１３０は用紙１２０と直接的に接触しない。内表紙１１５は情報が記入される用紙１２０の下敷きとなるため、タグ部１３０の前側に配置された用紙１２０に、タグ部１３０に起因する凹凸が生じにくい。ユーザは、タグ部１３０の前側に配置された用紙１２０（つまり、内表紙１１５と重なる用紙１２０）に情報を記入しやすい。
【００８２】
紙媒体１００への情報記入が終了したのち、ユーザは媒体保持シート５Ｌ，５Ｒを読取装置２から取り外し、さらに使用済みの紙媒体１００から媒体保持シート５Ｌ，５Ｒを取り外す。ユーザはタグ部１３０を折り返して、切り込み部１３１内に収容する。タグ部１３０が表紙１１０Ｒの外側に突出しないため、タグ部１３０および識別マーク１４０の破損または変形を抑制できる。さらに、ユーザは剥離部１６３Ｌ，１６３Ｒを閉じて、接着部１６１Ｌ，１６１Ｒを被覆する。接着部１６１Ｌ，１６１Ｒが他の物品に接着することが防止されるため、ユーザは使用済みの紙媒体１００を容易に携行および保管することができる。
【００８３】
本実施形態では、綴じ部１０５の近傍に接着部１６１Ｌ，１６１Ｒが設けられているため、使用済みの紙媒体１００を壁掛け状に保管可能である。例えば、表紙１１０Ｌがタイトルおよびノート種類等が表記された表表紙である紙媒体１００を保管する場合、ユーザは裏表紙である表紙１１０Ｒの剥離部１６３Ｒを開く。ユーザは接着部１６１Ｒを介して、閉じ部１０５が上向きとなるように表紙１１０Ｒを壁に貼り付ける。
【００８４】
これにより、ユーザが表紙１１０Ｌに表記されたタイトル等を目視可能な状態で、紙媒体１００が壁掛け状に保管される。綴じ部１０５の近傍に設けられている接着部１６１Ｒによって、紙媒体１００の自然開放および重力落下を抑制できる。さらに、接着部１６１Ｒは綴じ部１０５に沿って延びる形状を有するため、紙媒体１００が壁に貼り付けられた状態をより安定的に保持できる。
【００８５】
図１０に示すように、ユーザが開閉カバー４６を開くと、バッテリー着脱口４８を介してバッテリー装着部８２が外部に露出する。これにより、ユーザはバッテリー装着部８２に装着するバッテリー１９を交換できる。
【００８６】
＜７．読取装置２のデータ取得原理＞
上述のように紙媒体１００が読取装置２に装着された状態で、ユーザは電子ペン３を用いて用紙１２０に情報を記入する。用紙１２０に対向するセンサ基板１０Ｌ，１０Ｒのいずれかによって、用紙１２０に情報を記入する電子ペン３の位置情報が検出される。読取装置２は、検出される電子ペン３の位置情報に基づいて、先述のストロークデータを取得する。
【００８７】
図５を参照して、読取装置２によってストロークデータが取得される原理を、概略的に説明する。ＣＰＵ２１はＡＳＩＣ１１Ａ，１２Ａを制御して、センサ基板１０Ｌ，１０Ｒの各々のループコイルに、一本ずつ特定の周波数の電流（励磁用送信電流）を流す。これにより、センサ基板１０Ｌ，１０Ｒの各々のループコイルから磁界が発生する。この状態で、例えばユーザが電子ペン３を用いて読取装置２に固定された紙媒体１００の用紙１２０に情報を記入すると、電子ペン３がセンサ基板１０Ｌ，１０Ｒに近接する。そのため、電子ペン３の共振回路は電磁誘導によって共振し、誘導磁界を生じる。
【００８８】
次に、ＣＰＵ２１はＡＳＩＣ１１Ａ，１２Ａを制御して、センサ基板１０Ｌ，１０Ｒの各々のループコイルからの磁界の発生を停止させる。さらに、電子ペン３の共振回路から発せられる誘導磁界を、センサ基板１０Ｌ，１０Ｒの各々のループコイルで受信する。ＣＰＵ２１はＡＳＩＣ１１Ａ，１２Ａを制御して、センサ基板１０Ｌ，１０Ｒの各々のループコイルに流れる信号電流（受信電流）を検出させる。ＡＳＩＣ１１Ａ，１２Ａがこの動作を全てのループコイルについて一本ずつに実行することで、受信電流に基づいて電子ペン３の位置が検出される。
【００８９】
さらに、電子ペン３を用いて用紙１２０に情報が記入されている状態では、芯体３１に筆圧が付与される。芯体３１に付与される筆圧に応じて、コイル３２のインダクタンスが変化する。これにより、電子ペン３の共振回路の共振周波数が変化する。ＣＰＵ２１はこの共振周波数の変化（位相変化）を検出して、電子ペン３に付与された筆圧を特定する。つまりＣＰＵ２１は、電子ペン３から特定した筆圧によって、用紙１２０に情報が記入されているか否かを判断できる。
【００９０】
ＣＰＵ２１は、用紙１２０に情報が記入されていると判断した場合、電子ペン３の軌跡を示すストロークデータを取得する。つまり、ＣＰＵ２１は、センサ基板１０Ｌによって検出された電子ペン３の位置に基づいて、読取装置２に位置決めされた表紙１１０Ｌと重なり合う用紙１２０に記入されたストロークデータが取得する。ＣＰＵ２１は、センサ基板１０Ｒによって検出された電子ペン３の位置に基づいて、読取装置２に位置決めされた表紙１１０Ｒと重なり合う用紙１２０に記入されたストロークデータを取得する。取得されたストロークデータは、フラッシュＲＯＭ２２に保存される。
【００９１】
＜８．読取装置２のフォーマット設定処理＞
図１２を参照して、本実施形態の手書入力システム１において、読取装置２で実行されるメイン処理を説明する。読取装置２の電源がＯＮされると、ＣＰＵ２１はフラッシュＲＯＭ２２に記憶されているプログラムに基づいて、図１２に示すフォーマット設定処理を実行する。
【００９２】
図１２に示すように、読取装置２のフォーマット設定処理では、まず識別マーク１４０の読み取りが実行される（Ｓ１）。先述したように、紙媒体１００が読取装置２に装着されている場合、タグ部１３０の突出部１３３がタグ収容部５５に挿入されている。ステップＳ１では、センサ部２４が有する六つの光センサの各々から前方に計測光が発せられる。六本の計測光は読取窓７３を介して、媒体保持シート５Ｒの被覆部５９に後方から照射される。このとき、六本の計測光は、センサ穴５８の対応する貫通穴を経由して、突出部１３３に印刷された識別マーク１４０に照射される。識別マーク１４０で反射された六本の反射光が、センサ部２４によって検出される。センサ部２４は、検出された各反射光に基づいて、識別マーク１４０のバーパターンを読み取る。
【００９３】
次いで、コード情報を検出できたか否かが判断される（Ｓ３）。例えば突出部１３３がタグ収容部５５に挿入されていない場合、センサ部２４によって適正にバーパターンが読み取れない。このように適正にバーパターンが読み取れなかった場合、コード情報を検出できなかったと判断される（Ｓ３：ＮＯ）。この場合、汎用ノート（例えば、Ａ５サイズの白紙ノート）のフォーマット情報が、読取装置２に装着されている紙媒体１００が有する用紙１２０のフォーマットとして、フラッシュＲＯＭ２２に設定される（Ｓ５）。
【００９４】
一方、センサ部２４によって適正にバーパターンが読み取れた場合、コード情報を検出できたと判断される（Ｓ３：ＹＥＳ）。この場合、検出したコード情報に対応するフォーマット情報が、読取装置２に装着されている紙媒体１００が有する用紙１２０のフォーマットとして、フラッシュＲＯＭ２２に設定される（Ｓ７）。例えば、図７および図８に示す識別マーク１４０の例では、識別領域１４１、１４４、１４６が黒、識別領域１４２、１４３、１４５が白となるバーパターンが読み取られる。このバーパターンが示すコード情報に基づいて、例えば罫線が２０本引かれたＡ５サイズの文書用フォーマットが、フラッシュＲＯＭ２２に設定される。ステップＳ５またはステップＳ７の実行後、フォーマット設定処理（図１２参照）が終了される。
【００９５】
読取装置２では、フォーマット設定処理（図１２参照）の終了後、先述したように電子ペン３の軌跡を示すストロークデータが、フラッシュＲＯＭ２２に経時的に保存される。読取装置２でストロークデータの取得が終了したのち、ユーザの転送指示に応じて、フラッシュＲＯＭ２２に保存されたストロークデータがＰＣ９（図２参照）に転送される。このとき、ステップＳ５またはステップＳ７で設定されたフォーマット情報も、ＰＣ９に転送される。
【００９６】
ＰＣ９では、読取装置２から転送されたストロークデータに基づいて、用紙１２０に記入された情報を再現可能な画像ファイルが生成される。さらに、読取装置２からステップＳ７で設定されたフォーマット情報が転送された場合、読取装置２に装着されている紙媒体１００が有する用紙１２０のフォーマットと、そのフォーマット上に記入された情報とを忠実に再現できる。なお、読取装置２からステップＳ５で設定されたフォーマット情報が転送された場合、例えば白紙ノートに記入された情報を再現できる。
【００９７】
＜９．本実施形態の作用効果の例示＞
紙媒体１００は、一対の表紙１１０Ｌ，１１０Ｒと複数枚の用紙１２０とが綴じられた冊子状である。表紙１１０Ｒには、タグ部１３０が設けられる。タグ部１３０の一部は、ノート種類を光学的に読み取り可能な識別マーク１４０が設けられた突出部１３３である。タグ部１３０が折り返されると、突出部１３３に設けられた識別マーク１４０が表紙１１０Ｒの輪郭よりも外側に配置される。読取装置２は表紙１１０Ｒの輪郭よりも外側に配置された識別マーク１４０から、ノート種類を読み取ることができる。つまり紙媒体１００は、読取装置２に用紙のフォーマットを認識させることができる。
【００９８】
タグ部１３０が設けられた表紙１１０Ｒと用紙１２０との間に綴じられる内表紙１１５は、内表紙１１５に重なり合う用紙１２０の紙面略全体と対向可能な形状および大きさを有する。表紙１１０Ｒと用紙１２０との間に内表紙１１５が介在するため、タグ部１３０は用紙１２０と直接的に接触しない。内表紙１１５は情報が記入される用紙１２０の下敷きとなるため、ユーザは用紙１２０に情報を記入しやすい。
【００９９】
識別マーク１４０は、タグ部１３０が設けられた表紙１１０Ｒの両面のうち、タグ部１３０が折り返されていない状態で用紙１２０と対向する表紙１１０Ｒの内面に設けられる。タグ部１３０が折り返されていない状態で紙媒体１００が閉じられると、識別マーク１４０は用紙１２０に対向して被覆されるため、識別マーク１４０を外部から保護できる。一方、タグ部１３０が折り返えされると、識別マーク１４０は用紙１２０とは反対側を向く。読取装置２に表紙１１０Ｒの外面側から識別マーク１４０を読み取らせることができる。
【０１００】
両面に接着性を有するシート状の接着部１６１Ｌ，１６１Ｒが、それぞれ表紙１１０Ｌ，１１０Ｒに設けられる。接着部１６１Ｌ，１６１Ｒから剥離部１６３Ｌ，１６３Ｒを剥離することで、紙媒体１００を媒体保持シート５Ｌ，５Ｒに接着固定できる。その結果、ユーザは紙媒体１００の用紙１２０に対して、情報を正確に記入できる。接着部１６１Ｌ，１６１Ｒは綴じ部１０５の近傍に設けられているため、例えば紙媒体１００を壁に貼り付けて保管することが容易となる。
【０１０１】
＜１０．変形例の例示＞
（１）本発明は上記実施形態に限定されるものではなく、発明の要旨を変更しない範囲での変更が可能である。例えば、紙媒体１００は、媒体保持シート５Ｌ，５Ｒを用いることなく、読取装置２に直接取り付けられてもよい。この変形例を、図１３〜図１５を参照して説明する。本変形例の読取装置２は、外装カバー４を備えていない。ユーザは樹脂カバー７Ｌ，７Ｒに直接触れて、読取装置２を開閉可能である。
【０１０２】
図１３および図１５に示すように、変形例の紙媒体１００は、表紙１１０Ｌ，１１０Ｒが用紙１２０よりもページ幅（本実施形態では、左右方向の長さ）が大きい。表紙１１０Ｌのうちで、表紙１１０Ｌに重なる用紙１２０よりも開放側（本実施形態では左側）に延びる部分を、延長部１５０Ｌという。表紙１１０Ｒのうちで、表紙１１０Ｒに重なる用紙１２０よりも開放側（本実施形態では右側）に延びる部分を、延長部１５０Ｒという。
【０１０３】
延長部１５０Ｌの開放側の上隅部および下隅部に、それぞれ、ページ幅方向に長い貫通穴である連結穴１５１Ｌ，１５２Ｌが設けられている。延長部１５０Ｒの開放側の上隅部および下隅部に、それぞれ、ページ幅方向に長い貫通穴である連結穴１５１Ｒ，１５２Ｒが設けられている。さらに、上記実施形態と同様の識別マーク１４０が、延長部１５０Ｒにおける連結穴１５１Ｒの下側に設けられている。
【０１０４】
一方、変形例の読取装置２では、取付部７１Ｌ，７２Ｌ，７１Ｒ，７２Ｒが、上記実施形態と異なる。取付部７１Ｌは、挿入ピン１７１Ｌおよび挟持板１７３Ｌを備える。挿入ピン１７１Ｌは、前カバー７０Ｌの開放側（本実施形態では左側）の上隅部から前方に突出するピンである。挟持板１７３Ｌは、挿入ピン１７１Ｌに対して開放側に隣接して設けられた、上方に突出する板状部材である。同様に、取付部７２Ｌは、前カバー７０Ｌの開放側の下隅部から突出する挿入ピン１７２Ｌと、挿入ピン１７２Ｌに対して開放側に隣接する挟持板１７４Ｌを備える。
【０１０５】
取付部７１Ｒは、前カバー７０Ｒの開放側（本実施形態では右側）の上隅部から突出する挿入ピン１７１Ｒと、挿入ピン１７１Ｒに対して開放側に隣接する挟持板１７３Ｒを備える。取付部７２Ｒは、前カバー７０Ｒの開放側の下隅部から突出する挿入ピン１７２Ｒと、挿入ピン１７２Ｒに対して開放側に隣接する挟持板１７４Ｒを備える。
【０１０６】
図１３および図１５に示すように、ユーザが紙媒体１００を読取装置２に取り付ける場合、連結穴１５１Ｌ，１５２Ｌにそれぞれ挿入ピン１７１Ｌ，１７２Ｌを挿入する。これにより、延長部１５０Ｌのうちで連結穴１５１Ｌよりも開放側の部分が、挿入ピン１７１Ｌおよび挟持板１７３Ｌによって挟持される。延長部１５０Ｌのうちで連結穴１５２Ｌよりも開放側の部分が、挿入ピン１７２Ｌおよび挟持板１７４Ｌによって挟持される。したがって、表紙１１０Ｌが、樹脂カバー７Ｌに連結されて、センサ基板１０Ｌに対して位置決めされる。
【０１０７】
さらにユーザは、連結穴１５１Ｒ，１５２Ｒにそれぞれ挿入ピン１７１Ｒ，１７２Ｒを挿入する。これにより、延長部１５０Ｒのうちで連結穴１５１Ｒよりも開放側の部分が、挿入ピン１７１Ｒおよび挟持板１７３Ｒによって挟持される。延長部１５０Ｒのうちで連結穴１５２Ｒよりも開放側の部分が、挿入ピン１７２Ｒおよび挟持板１７４Ｒによって挟持される。したがって、表紙１１０Ｒが樹脂カバー７Ｒに固定されて、センサ基板１０Ｒに対して位置決めされる。
【０１０８】
本変形例では、センサ部２４が読取窓７３を介して、延長部１５０Ｒに設けられた識別マーク１４０に計測光を照射する。これにより、ＣＰＵ２１は、上記実施形態と同様に、識別マーク１４０からコード情報を読み取って、用紙１２０のフォーマット情報を設定できる。
【０１０９】
（２）紙媒体１００または媒体保持シート５Ｌ，５Ｒを読取装置２に取り付ける手法は、上記実施形態および変形例に限定されない。以下では、媒体保持シート５Ｌを読取装置２に取り付ける変形例を例示するが、紙媒体１００および媒体保持シート５Ｒを読取装置２に取り付ける場合も、下記と同様に変形可能であることは言うまでもない。
【０１１０】
例えば、読取装置２の取付部７１Ｌ，７２Ｌは、雌型ホックでもよい。この場合、媒体保持シート５Ｌの連結穴５３Ｌ，５４Ｌに代えて、それぞれ雄型ホックを設ける。ユーザは媒体保持シート５Ｌの雄型ホックを、雌型ホックである取付部７１Ｌ，７２Ｌに嵌めることで、媒体保持シート５Ｌを樹脂カバー７Ｌに固定できる。
【０１１１】
読取装置２の取付部７１Ｌ，７２Ｌは、雌型のネジ穴でもよい。この場合、ユーザは媒体保持シート５Ｌの連結穴５３Ｌ，５４Ｌを介して、取付部７１Ｌ，７２Ｌに図示外のネジを螺合することで、媒体保持シート５Ｌを樹脂カバー７Ｌに固定できる。
【０１１２】
読取装置２の取付部７１Ｌ，７２Ｌは、先端に回転体が設けられた回転止め具でもよい。この場合、ユーザは連結穴５３Ｌ，５４Ｌに取付部７１Ｌ，７２Ｌを挿入し、さらに取付部７１Ｌ，７２Ｌの回転体を回転させる。これにより、連結穴５３Ｌ，５４Ｌから取付部７１Ｌ，７２Ｌが抜けることが抑制されて、媒体保持シート５Ｌを樹脂カバー７Ｌに固定できる。
【０１１３】
読取装置２の取付部７１Ｌ，７２Ｌは、可動体によってスライド固定する機構でもよい。例えば、ユーザは連結穴５３Ｌ，５４Ｌに取付部７１Ｌ，７２Ｌを挿入し、さらに取付部７１Ｌ，７２Ｌの可動体を移動させる。これにより、連結穴５３Ｌ，５４Ｌから取付部７１Ｌ，７２Ｌが抜けることが抑制されて、媒体保持シート５Ｌを樹脂カバー７Ｌに固定できる。
【０１１４】
（３）読取装置２は他の方法で電子ペン３の位置を検出してもよい。例えば読取装置２はタッチパネルを備えてもよい。タッチパネルの駆動方式は、抵抗膜方式であることが好ましい。タッチパネル上に紙媒体１００が置かれてもよい。ＣＰＵ２１は、電子ペン３によって紙媒体１００の用紙１２０に情報を記入する動作が行われた場合、タッチパネルを介して筆圧が加えられた位置を検出してもよい。
【０１１５】
（４）紙媒体１００のサイズ、フォーマット、材質などは、上記実施形態に限定されない。媒体保持シート５Ｌ，５Ｒは、少なくとも紙媒体１００を取り付け可能なサイズであればよい。読取装置２は、紙媒体１００に貼り付けられた媒体保持シート５Ｌ，５Ｒを取り付け可能なサイズ、または、少なくとも紙媒体１００を取り付け可能なサイズであればよい。
【０１１６】
タグ部１３０は、一対の表紙１１０Ｌ，１１０Ｒの少なくとも一方に設けてもよい。媒体着脱部１６０Ｌ，１６０Ｒは、一対の表紙１１０Ｌ，１１０Ｒの少なくとも一方に設けてもよい。識別マーク１４０は、ノート種類として、用紙１２０のフォーマット以外の情報（例えば、紙媒体１００の製造番号、使用履歴、キーワードなど）を光学的に読み取り可能な画像でもよい。
【０１１７】
タグ部１３０および媒体着脱部１６０Ｌ，１６０Ｒの位置、形状および大きさは、上記実施形態および変形例に限定されない。例えば、図１６に示す変形例の紙媒体１００では、タグ部１３０の折り返した状態を保持する爪部１３９が設けられている。爪部１３９は、型押し部１３２と識別マーク１４０との間に設けられた、タグ部１３０を前後方向に貫通する切り込み部である。爪部１３９は、正面視で識別マーク１４０から型押し部１３２に向かう方向に突出する形状を有する。
【０１１８】
ユーザはタグ部１３０が折り返したときに、表紙１１０Ｒの開放側端部を爪部１３９に差し込む。これにより、タグ部１３０が表紙１１０Ｒの開放側端部に係止されるため、識別マーク１４０の位置ずれを抑制できる。紙媒体１００は読取装置２に識別マーク１４０を正確に読み取らせることができる。
【符号の説明】
【０１１９】
１００    紙媒体
１０５    閉じ部
１１０Ｌ    表紙
１１０Ｒ    表紙
１１５    内表紙
１２０    用紙
１３０    タグ部
１３１    切り込み部
１３２    型押し部
１３３    突出部
１４０    識別マーク
１６１Ｌ    接着部
１６１Ｒ    接着部
１６３Ｌ    剥離部
１６３Ｒ    剥離部
【図１】
2014099121.tif 000003
【図２】
2014099121.tif 000004
【図３】
2014099121.tif 000005
【図４】
2014099121.tif 000006
【図５】
2014099121.tif 000007
【図６】
2014099121.tif 000008
【図７】
2014099121.tif 000009
【図８】
2014099121.tif 000010
【図９】
2014099121.tif 000011
【図１０】
2014099121.tif 000012
【図１１】
2014099121.tif 000013
【図１２】
2014099121.tif 000014
【図１３】
2014099121.tif 000015
【図１４】
2014099121.tif 000016
【図１５】
2014099121.tif 000017
【図１６】
2014099121.tif 000018